(57)【要約】【課題】外気を取り込むことで中空部の湿度が高まり、外気と共に不純物や雑菌が中空部に取り込まれた際に、内周面に汚れやカビが付き難く、洗浄し易い地中埋設管を提供する。【解決手段】少なくとも一部が地中に埋設され、中空部に取り込んだ外気の熱と地熱との間で熱交換可能な管本体１１を備え、管本体１１の内周面の水滴に対する接触角が０度以上５０度以下である。管本体１１は、親水性を有する樹脂から構成されていることが好ましい。また、管本体１１の長手方向に間隔をあけて管本体１１の外周面１３から径方向に張り出した複数のリブ１６が形成されていることが好ましい。【選択図】図２
2016070598.tif 000002
【特許請求の範囲】
【請求項１】
少なくとも一部が地中に埋設され、
管内に取り込んだ外気の熱と地熱との間で熱交換可能な管を備え、
前記管の内周面の水滴に対する接触角が０度以上５０度以下である地中埋設管。
【請求項２】
前記管の長手方向に間隔をあけて前記管の外周面から径方向に張り出した複数のリブが形成されている請求項１に記載の地中埋設管。
【請求項３】
前記管が親水性を有する樹脂から構成されている請求項１又は２に記載の地中埋設管。
【請求項４】
前記管が多層構造で形成され、
前記多層構造のうち最も内周側に設けられた層が親水性を有する樹脂から構成されている請求項１に記載の地中埋設管。
【請求項５】
前記樹脂が塩化ビニルモノマーに由来する構造単位と親水性モノマーに由来する構造単位とを有する塩化ビニル系共重合体により形成されている請求項３又は４のうち何れか一項に記載の地中埋設管。
【請求項６】
前記管の内周面に複数の突起が形成されている請求項１〜５のうち何れか一項に記載の地中埋設管。
【発明の詳細な説明】
【技術分野】
【０００１】
本発明は、地中埋設管に関する。
【背景技術】
【０００２】
近年、地中に埋設した管（以下、地中埋設管という）の内部に外気を導入し、地中で熱交換を行った空気を建物内に取り込む地中熱交換システムが知られている。地中埋設管の一端は、外気を取り込むために地上に解放され、必要に応じて送風機に接続されている。一方、地中埋設管の他端は、建物に接続されている。地中埋設管は、一本の管材で構成されていてもよく、複数の管材を直列に接続することで構成されていてもよい。
【０００３】
このような地中熱交換システムにおいて、夏期には、例えば３０℃を超える高温の外気が送風機から地中埋設管の内部に導入され、約１８℃の地中で熱交換を行うことにより２０℃程度に冷却され、建物内に取り込まれる。一方、冬期には、例えば零下の外気が送風機から地中埋設管の内部に導入され、約５℃の地中で熱交換を行うことにより３℃程度に温められ、建物内に取り込まれる。
地中熱交換システムを構成する地中埋設管としては、従前より広い用途で多用されている樹脂管を例示することができる。
【先行技術文献】
【特許文献】
【０００４】
【特許文献１】特開２００９−１２７９８２号公報
【発明の概要】
【発明が解決しようとする課題】
【０００５】
ところで、外気には常に水蒸気が存在するので、外気温が地中の温度よりも高い場合、外気を地中に導入すると、地中埋設管の中空部の湿度が高まる。また、導入した外気を中空部に流通させて地熱との間で熱交換を行うと、結露によって地中埋設管の内周面に水が発生する。さらに、外気には埃や塵等の不純物と共に雑菌が含まれるので、これらが湿度の高い中空部に侵入すると、内周面に付着し、カビが生える。特に、夏期の外気の湿度はかなり高く、地中埋設管の中空部の湿度が高まるので、カビが生え易くなる。
そして、時間の経過に伴い、地中埋設管の内周面に付着した汚れは固着し、カビは増殖する。
【０００６】
樹脂管の内周面の汚れやカビを落とすためには、例えば内周面に高圧の放水を行う洗浄方法や、カビの発生を防ぐ薬剤を塗布する等の方法があるが、汚れやカビの発生を抑制する効果は必ずしも十分ではなく、樹脂管の内周面の洗浄作業に時間がかかるという問題があった。
【０００７】
本発明は、上記事情を鑑みてなされたものであり、内周面に汚れやカビが付き難く、洗浄し易い地中埋設管の提供を課題とする。
【課題を解決するための手段】
【０００８】
本発明者らは、地中埋設管の内周面に結露で生じた水が表面張力によって水滴になると、水で覆われた内周面の面積が少なく、不純物や雑菌が水で覆われていない内周面に付き易くなってしまうことに着目した。そこで、結露で生じた水を水滴にさせず、内周面に薄く拡げることによって、水で覆われた内周面の面積を増やすこととした。これにより、中空部に侵入した不純物や雑菌が内周面に直接付着し難くなるため、カビが生え難くなることを見出した。また、中空部に侵入した不純物や雑菌は薄く広がった水に混入され、流動性を有する水と共に洗い流され、中空部から容易に除去可能になることを見出し、本発明を完成するに至った。
【０００９】
本発明の地中埋設管は、中空部に外気を流通させる管材であり、地中に埋設された際に前記外気と前記地中との熱交換を行う熱交換部を備え、少なくとも前記熱交換部における前記管材の内周面の水滴に対する接触角が０度以上５０度以下であることを特徴とする。
上記構成によれば、熱交換部外気を地中埋設管の中空部に通して地中との熱交換を行うと、結露によって内周面に生じた水が水滴にならずに薄く拡がる。これにより、中空部に導入された不純物及び雑菌は流動性を有する水に付着するので、内周面に直接固着し難くなると共に、水を除去することで内周面から容易に除去される。また、水で覆われずに湿度の高い中空部に露出される内周面の面積が減るので、中空部に導入された雑菌が内周面に付き難く、カビが発生し難くなる。
【００１０】
本発明の地中埋設管では、前記管の長手方向に間隔をあけて前記管材の外周面から径方向に張り出した複数のリブが設けられていることが好ましい。
上記構成によれば、地中埋設管の剛性が高められる。
【００１１】
本発明の地中埋設管では、管が親水性を有する樹脂から構成されていることが好ましい。
また、本発明の地中埋設管では、前記管が多層構造で形成され、前記多層構造のうち最も内周側に設けられた層が親水性を有する樹脂から構成されていることが好ましい。
上記構成によれば、内周面の水滴に対する接触角が簡易に０度以上５０度以下とされ得るので、内周面に生じた水が水滴にならずに確実に薄く拡げられる。
【００１２】
本発明の地中埋設管では、前記樹脂が塩化ビニルモノマーに由来する構造単位と親水性モノマーに由来する構造単位とを有する塩化ビニル系共重合体により形成されていることが好ましい。
上記構成によれば、内周面の水滴に対する接触角がより確実に０度以上５０度以下とされ得る。
【００１３】
本発明の地中埋設管では、前記管の内周面に複数の突起が形成されていることが好ましい。
上記構成によれば、内周面の水滴に対する接触角が簡易に０度以上５０度以下とされ得る。
【発明の効果】
【００１４】
本発明によれば、内周面に汚れやカビが付き難く、洗浄し易い地中埋設管が提供される。
【図面の簡単な説明】
【００１５】
【図１】本発明の地中埋設管を用いた地中熱交換システムを示す概略図である。
【図２】本発明の第一実施形態の地中埋設管を示す斜視図である。
【図３】本発明の第二実施形態の地中埋設管を示す斜視図である。
【図４】本発明の第三実施形態の地中埋設管を示す図であって、（ａ）は斜視図であり、（ｂ）は地中埋設管の一部分の拡大断面図である。
【発明を実施するための形態】
【００１６】
以下、本発明を適用した地中埋設管について、図面を参照して説明する。なお、以下の説明で用いる図面は模式的なものであり、長さ、幅、及び厚みの比率等は実際のものと同一とは限らず、適宜変更することができる。
【００１７】
図１は、本発明を適用した実施形態である地中埋設管１０を用いた地中熱交換システム１を示す概略図である。
図１に示すように、地中熱交換システム１は、送風機５と、地中埋設管１０と、を備えている。
送風機５は、外気を取り込んで地中埋設管１０内を通させるためのものであり、例えば地面Ｇに設置されている。
地中埋設管１０は、送風機５から管内に取り込んだ外気の熱と地熱との間で熱交換を行い、熱交換された外気を地面Ｇ上の建物７内に導出するためのものである。従って、地中埋設管１０の一端は、送風機５に接続されている。地中埋設管１０の他端は、建物７内で開放されている。そして、地中埋設管１０の少なくとも一部は、地中Ｕに埋設されている。
なお、地中埋設管１０内に充分な量の外気を直接取り込み、その外気を地中埋設管１０内において矢印の方向に送ることが可能であれば、送風機５は省略されていてもよい。例えば、地中埋設管１０の一端が地上に解放されていてもよい。
さらに、地中埋設管１０の底部には結露した水を排出するための不図示の排水管を備え、地中埋設管１０はこの排水管へ向けて傾斜する様に埋設されている。
【００１８】
地中埋設管１０は、管内に取り込んだ外気の熱と地熱との間で熱交換可能な管本体１１（管）を備えている。地中埋設管１０は、一本の管本体１１であってもよく、複数の管本体１１を直列に接続したものであってもよい。
管本体１１の内周面１２の水滴に対する接触角は、０度以上５０度以下とされている。内周面１２の水滴に対する接触角は、親水性の指標である。上記接触角が５０度を超えると、内周面１２の親水性が不十分になり、内周面１２に水滴が生じ、汚れやカビが付着し易くなる。防汚性をより一層高める観点から、上記接触角は０度に近いほど良く、好ましくは４０度以下である。
次いで、内周面１２の水滴に対する接触角が上記範囲内とされている管本体１１を備えた地中埋設管１０の実施形態について例示する。
【００１９】
（第一実施形態）
本発明の第一実施形態について、図２を参照して説明する。図２は、本実施形態の地中埋設管１０を示す斜視図である。
地中埋設管１０をなす管本体１１は、内周面１２の水滴に対する接触角を０度以上５０度以下としたものであり、親水性を有する樹脂から構成されている。当該樹脂としては、例えば塩化ビニルモノマーに由来する構造単位と親水性モノマーに由来する構造単位とを有する塩化ビニル系共重合体が挙げられる。
【００２０】
塩化ビニル系共重合体に親水性モノマーに由来する構造単位を導入するために、塩化ビニルモノマーと共に親水性モノマーが用いられる。親水性モノマーに由来する構造単位は、塩化ビニル系共重合体の分子中に含有されていれば特に限定されず、側鎖に置換又は結合していてもよく、主鎖に置換又は結合していてもよい。親水性をより一層高める観点から、親水性モノマーに由来する構造単位は、主鎖に置換又は結合していることが好ましい。
【００２１】
親水性モノマーは、一種のみが用いられてもよく、二種以上が併用されてもよい。
従って、塩化ビニル系共重合体は、親水性モノマーに由来する構造単位を一種のみ有していてもよく、二種以上有していてもよい。親水性モノマーを二種以上併用する場合に、二種以上の親水性モノマーが有する官能基は同一であってもよく、異なっていてもよい。親水性を有する官能基の異同にかかわらず、親水性モノマーは、一種のみが用いられてもよく、二種以上が併用されてもよい。
【００２２】
親水性モノマーとしては、例えば、アミノ基、アンモニウム基、ピリジル基、イミノ基又はベタイン構造等のカチオン性基を有するビニルモノマー（以下、「（１）カチオン性モノマー」と記載することがある）、水酸基、アミド基、エステル構造又はエーテル構造等の親水性の非イオン性基を有するビニルモノマー（以下、「（２）非イオン性モノマー」と記載することがある）、カルボキシル基、スルホ基又はリン酸基等のアニオン性基を有するビニルモノマー（以下、「（３）アニオン性モノマー」と記載することがある）、及び、その他のモノマーが挙げられる。カチオン性基を有するモノマー及びアニオン性モノマーはそれぞれ、塩の形態であってもよい。
【００２３】
長期間に渡る地中埋設管１０の防汚性をより高める観点から、親水性モノマーは、非イオン性基を有するモノマーであることが好ましい。同観点から、非イオン性基を有するモノマーは、水酸基を有するモノマー、ヒドロキシアルキル基を有するモノマー、多価アルコール基を有するモノマー、片末端にアルキルエーテル骨格又は片末端にアリルエーテル骨格を有し且つポリアルキレングリコール基を有するモノマー、又は、Ｎ−ビニル環状アミド基を有するモノマーであることが好ましく、Ｎ−ビニル環状アミド基を有するモノマーであることがより好ましく、Ｎ−ビニル−２−ピロリドンであることが更に好ましい。
【００２４】
長期間に渡る地中埋設管１０の防汚性をより一層高める観点から、塩化ビニル系共重合体において、塩化ビニルモノマーに由来する構造単位と親水性モノマーに由来する構造単位との合計１００重量％中、親水性モノマーに由来する構造単位の含有率は、０．１重量％以上７０重量％以下であること好ましく、１重量％以上５０重量％以下であることがより好ましく、２０重量％以上４９重量％以下であることが更に好ましい。塩化ビニル系共重合体において、塩化ビニルモノマーに由来する構造単位とＮ−ビニル−２−ピロリドンに由来する構造単位との合計１００重量％中、Ｎ−ビニル−２−ピロリドンに由来する構造単位の含有率は、０．１重量％以上７０重量％以下であること好ましく、１重量％以上５０重量％以下であることがより好ましく、２０重量％以上４９重量％以下であることが更に好ましい。
【００２５】
管本体１１の熱交換性を高める観点から、管本体１１は、可能な限り薄い、即ち薄肉化されていることが好ましい。管本体１１が塩化ビニル系共重合体により構成される場合は、管本体１１の厚みは、例えば２．４ｍｍ以上３．５ｍｍ以下であることが好ましい。
但し、管本体１１を薄くすると、管本体１１の剛性も低下する。本実施形態では、管本体１１の肉薄化と剛性の強化とを同時に満たす観点から、管本体１１の長手方向に、間隔をあけて管本体１１の外周面１３から径方向に張り出した複数のリブ１６が設けられている。
リブ１６の材質は、特に限定されないが、地中埋設管１０の製造工程をより簡易にする観点から、管本体１１の材質と同一であることが好ましい。
管本体１１は、例えば金型成形により成形されているものである。
【００２６】
上記説明した地中埋設管１０を備えた図１に示す地中熱交換システム１では、外気が送風機５から、地中埋設管１０の中空部に導入され、地中との熱交換が行われて建物７内に取り込まれる。
【００２７】
上記説明した本実施形態の地中埋設管１０によれば、管内に取り込んだ外気の熱と地熱との間で熱交換可能な管本体１１を備え、管本体１１が親水性を有する樹脂から構成されていることで、内周面１２の水滴に対する接触角が０度以上５０度以下とされている。従って、導入した外気を管本体１１の中空部に流通させて地熱との間で熱交換する際に、中空部の湿度が高まる、或いは、結露によって内周面１２に水が発生した場合であっても、水が水滴にならず、内周面１２に薄く拡がる。これにより、内周面１２が水で覆われ、外気に伴って管本体１１の中空部に侵入した不純物や雑菌が内周面１２に直接付着し難くなるので、汚れやカビが発生し難くなる。また、これらの不純物や雑菌は、薄く拡げられた水に含有されるため、内周面１２に高圧の放水を行う洗浄方法等により、容易に洗い落とされる。さらに、管本体１１が親水性を有する樹脂から構成されているため、管本体１１の内面に親水性の薬剤等を塗布するよりも親水性を長期にわたって保持することができる。
従って、本発明によれば、内周面１２に汚れやカビが付き難く、洗浄し易い地中埋設管１０が提供される。また、地中埋設管１０の洗浄作業の効率向上及び洗浄回数の低減が図られる。
【００２８】
また、本実施形態の地中埋設管１０によれば、管本体１１の長手方向に間隔をあけて管本体１１の外周面１３から径方向に張り出した複数のリブ１６が形成されている。これにより、管本体１１の厚みを比較的減少させても、地中埋設管１０の剛性が高められる。
【００２９】
（第二実施形態）
以下、本発明の第二実施形態について、図３を参照して説明する。図３は、本実施形態の地中埋設管１０を示す斜視図である。
なお、図３に示す本実施形態の地中埋設管１０の構成要素において、図２に示す第一実施形態の地中埋設管１０の構成要素と同一の構成要素については、同一の符号を付し、その説明を省略する。
【００３０】
図３に示すように、本実施形態の地中埋設管１０においては、管本体１１が多層構造で形成されている。図３には、二つの層１５，１８から構成されている管本体１１を例示している。管本体１１を構成する層の数は、管本体１１内に取り込んだ外気の熱と地熱との間で熱交換可能であれば、特に制限されない。
多層構造のうち最も内周側に設けられた層１５は、例えば上述した親水性を有する樹脂から構成され、内周面１２の水滴に対する接触角が０度以上５０度以下とされている。
【００３１】
外周側の層１８の材質は、外気の熱と地熱との間で熱交換可能であれば、特に限定されない。層１８の材質としては、例えばポリ塩化ビニル樹脂が挙げられる。なお、管本体１１の耐性を高める点から、ポリ塩化ビニル樹脂からなる層１８の外周面にＡＥＳ樹脂やＡＳＡ樹脂のような耐光性樹脂層が被覆されていることが好ましい。
層１５，１８のそれぞれの厚みは、層の材質の熱伝導性等を勘案して設定されていることが好ましい。
管本体１１は、例えば押出成形法により成形されているものである。
【００３２】
上記説明した地中埋設管１０を備えた図１に示す地中熱交換システム１では、外気が送風機５から、地中埋設管１０の中空部に導入され、地中との熱交換が行われて建物７内に取り込まれる。
上記説明した本実施形態の地中埋設管１０によれば、管内に取り込んだ外気の熱と地熱との間で熱交換可能な管本体１１を備え、管本体１１が多層構造で形成され、前記多層構造のうち最も内周側に設けられた層が親水性を有する樹脂から構成されている。これにより、第一実施形態の地中埋設管１０と同様に、内周面１２の水滴に対する接触角が０度以上５０度以下とされている。従って、導入した外気を管本体１１の中空部に流通させて地熱との間で熱交換する際に、中空部の湿度が高まる、或いは、結露によって内周面１２に水が発生した場合であっても、水が水滴にならず、内周面１２に薄く拡がる。これにより、内周面１２が水で覆われ、外気に伴って管本体１１の中空部に侵入した不純物や雑菌が内周面１２に直接付着し難くなるので、汚れやカビが発生し難くなる。また、これらの不純物や雑菌は、薄く拡げられた水に含有されるため、内周面１２に高圧の放水を行う洗浄方法等により、容易に洗い落とされる。
従って、本発明によれば、内周面１２に汚れやカビが付き難く、洗浄し易い地中埋設管１０が提供される。また、地中埋設管１０の洗浄作業の効率向上及び洗浄回数の低減が図られる。
【００３３】
（第三実施形態）
以下、本発明の第三実施形態について、図４を参照して説明する。図４は、本実施形態の地中埋設管１０を示す図であって、（ａ）は斜視図であり、（ｂ）は地中埋設管１０の一部分の拡大断面図である。
なお、図４に示す本実施形態の地中埋設管１０の構成要素において、図２に示す第一実施形態の地中埋設管１０の構成要素と同一の構成要素については、同一の符号を付し、その説明を省略する。
【００３４】
図４（ａ）に示すように、管本体１１の内周面１２には、複数の突起２０が形成されている。突起２０が形成されていることで、内周面１２の表面積が増大する。内周面１２の単位面積あたりの突起２０の数や形状は、特に制限されない。但し、突起２０の数及び形状は、内周面１２に結露した水が、図４（ｂ）に示すように隣り合う突起２０の表面に連結して充分に薄く拡げられる程度に設定されている必要がある。これにより、内周面１２の水滴に対する接触角が０度以上５０度以下とされている。内周面１２において水を迅速に、効率良く且つ薄く拡げる観点から、突起２０の幅及び高さは、例えば１μｍ以上５ｍｍ以下であることが好ましい。
なお、内周面１２の表面積を増やす観点から、管本体１１の内周面１２には、複数の突起２０に替えて不図示の複数の凹所が形成されていてもよい。また、図４（ａ）では突起２０が不連続に設けられている場合を示したが、突起２０は連続した形状であってもよい。例えば管本体１１の管軸方向に平行又は直交するリブ状の突起としてもよく、管軸方向に平行な場合には結露した水を不図示の排水管へと導くことができる。
【００３５】
管本体１１の材質は、外気の熱と地熱との間で熱交換可能であれば、高い親水性を有する樹脂に限定されない。内周面１２に複数の突起２０を形成したことで、管本体１１の選択の幅が拡がる。内周面１２に複数の突起２０を形成する方法としては、例えば管本体１１の成形後に、内周面１２に対してシボ加工を行う方法等が挙げられる。
【００３６】
上記説明した地中埋設管１０を備えた図１に示す地中熱交換システム１では、外気が送風機５から、地中埋設管１０の中空部に導入され、地中との熱交換が行われて建物７内に取り込まれる。
地中埋設管１０によれば、管内に取り込んだ外気の熱と地熱との間で熱交換可能な管本体１１の内周面１２の水滴に対する接触角が０度以上５０度以下とされている。従って、導入した外気を管本体１１の中空部に流通させて地熱との間で熱交換する際に、中空部の湿度が高まる、或いは、結露によって内周面１２に水が発生した場合であっても、水が水滴にならず、内周面１２に薄く拡がる。これにより、内周面１２が水で覆われ、外気に伴って管本体１１の中空部に侵入した不純物や雑菌が内周面１２に直接付着し難くなるので、汚れやカビが発生し難くなる。また、これらの不純物や雑菌は、薄く拡げられた水に含有されるため、内周面１２に高圧の放水を行う洗浄方法等により、容易に洗い落とされる。
従って、本発明によれば、内周面１２に汚れやカビが付き難く、洗浄し易い地中埋設管１０が提供される。また、地中埋設管１０の洗浄作業の効率向上及び洗浄回数の低減が図られる。
【００３７】
以上、本発明の好ましい実施形態について詳述したが、本発明は係る特定の実施形態に限定されるものではなく、特許請求の範囲内に記載された本発明の要旨の範囲内において、種々の変形・変更が可能である。
【００３８】
例えば、樹脂管を構成する樹脂に親水性を持たせる方法として、上記説明した実施形態に限らず、例えば、ポリジオキソラン系重合体を、熱可塑性樹脂１００重量部に対し０．０１重量部〜１００重量部の割合で含有する帯電防止性と表面親水性を有する熱可塑性樹脂や、合成樹脂中にシリカ微粒子が分散されてなる皮膜の表面を放電処理又は真空紫外光照射処理する親水化処理方法、イオン系界面活性剤と脂肪酸エステルとを合計で塩化ビニル樹脂１００重量部に対して２重量部〜５重量部添加してなる塩化ビニル樹脂組成物で形成されている合成樹脂等を用いる方法が挙げられる。
【００３９】
また、樹脂管の内周面に親水性を付与する方法を採用してもよく、例えば、炭素原子との直接結合を持たない錫を含有する有機化合物を含む親水化剤を水性樹脂組成物に配合した後混合し、その後、当該混合物を被塗布物の表面に塗布して乾燥させ、これによって前記被塗布物の表面に水接触角７０度以下の塗膜を形成する方法や、ケイ素原子含有モノマーと、４級アンモニウム塩を側鎖に有するモノマーを重合させてなる（メタ）アクリル系ポリマーを含有する表面親水化剤、プラズマを発生させてイオンをプラスチック表面に作用させる前処理と、プラズマを発生させてラジカルを選択的にプラスチック表面に作用させる親水化処理と、を有するプラスチック表面の親水化方法等が挙げられる。
さらに、上記説明した実施形態のうち、二以上の実施形態を組み合わせてもよい。
【符号の説明】
【００４０】
１０…地中埋設管、１１…管本体（管）、１２…内周面、１５，１８…層、１６…リブ、２０…突起
【図１】
2016070598.tif 000003
【図２】
2016070598.tif 000004
【図３】
2016070598.tif 000005
【図４】
2016070598.tif 000006